(57)【要約】      （修正有）【課題】複数のソーラーパネル発電装置から提供された電力パラメータ（電圧基準値及び電流基準値）を効果的にモニターでき、電力パラメータのデータを通信伝送することにより、モニターに必要なコストを下げることができる電力監視装置を提供する。【解決手段】ソーラーパネル発電装置グループ及び電力変換装置に電気的に接続する電力監視装置であって、処理モジュール、序列制御モジュール、電流検知モジュール、及び電圧検知モジュールを備え、電流検知モジュールは、ソーラーパネル発電装置グループの少なくとも１つの発電装置による少なくとも１つの電流基準値を検知する。電圧検知モジュールは、ソーラーパネル発電装置グループの少なくとも１つの発電装置による少なくとも１つの電圧基準値を検知する。処理モジュールは、序列制御モジュールを介して、少なくとも１つの電圧基準値及び電流基準値を制御システムに伝送する。【選択図】図１
0003225941.tif 000002
【実用新案登録請求の範囲】
【請求項１】
複数のソーラーパネル発電装置グループ、電力監視装置グループ、及び電力変換装置を備える、電源システムであって、
前記複数のソーラーパネル発電装置グループのそれぞれに、複数のソーラーパネル発電装置が含まれ、
前記電力監視装置グループは、複数の電力監視装置を含み、前記複数の電力監視装置のそれぞれは、対応的に１つの前記ソーラーパネル発電装置グループに電気的に接続し、
前記複数の電力監視装置のそれぞれは、
処理モジュールと、
前記処理モジュールに電気的に接続する序列制御モジュールと、
対応的に接続された前記ソーラーパネル発電装置グループにおける前記ソーラーパネル発電装置による少なくとも１つの電力パラメータを検知するように、前記処理モジュールに電気的に接続する電力検出モジュールと、を含み、
前記複数の電力監視装置における前記序列制御モジュールは互いに通信的に接続され、
前記電力変換装置は、対応的に各前記ソーラーパネル発電装置グループから伝送された電力を転換するように、前記複数の電力監視装置のそれぞれに電気的に接続され、
各前記電力監視装置における前記電力検出モジュールが検知した前記少なくとも１つの電力パラメータは、前記処理モジュールに提供され、前記処理モジュールは、前記序列制御モジュールを介して、前記少なくとも１つの電力パラメータを制御システムに伝送する、ことを特徴とする、電源システム。
【請求項２】
ソーラーパネル発電装置グループ及び電力変換装置に電気的に接続する電力監視装置であって、
前記ソーラーパネル発電装置グループには、少なくとも１つのソーラーパネル発電装置が含まれて、
前記電力監視装置は、処理モジュールと、前記処理モジュールに電気的に接続する序列制御モジュールと、少なくとも１つの電流検知部を含む電流検知モジュールと、少なくとも１つの電圧検知部を含む電圧検知モジュールと、を備え、
前記電流検知モジュールは、前記ソーラーパネル発電装置グループの前記少なくとも１つのソーラーパネル発電装置による少なくとも１つの電流基準値を検知するために、前記処理モジュール、前記ソーラーパネル発電装置グループ及び前記電力変換装置に電気的に接続し、
前記電圧検知モジュールは、前記ソーラーパネル発電装置グループの前記少なくとも１つのソーラーパネル発電装置による少なくとも１つの電圧基準値を検知するために、前記処理モジュール及び前記ソーラーパネル発電装置グループに電気的に接続する、ことを特徴とする、電力監視装置。
【請求項３】
前記電力監視装置は回路基板をさらに備え、
前記回路基板は、少なくとも１つの電流入力端部、少なくとも１つの電流出力端部、少なくとも１つの電圧検知端部及び少なくとも１つの電力経路を有し、
前記少なくとも１つの電流入力端部は前記少なくとも１つの電力経路を介して前記少なくとも１つの電流出力端部に電気的に接続し、
前記少なくとも１つの電流検知部は、前記少なくとも１つの電流入力端部と前記少なくとも１つの電流出力端部との間に配置され、
前記少なくとも１つの電圧検知部は、前記前記少なくとも１つの電圧検知端部及び前記少なくとも１つの電力経路に電気的に接続する、請求項２に記載の電力監視装置。
【請求項４】
前記第１の電圧検知部は、第１のインピーダンス素子、第２のインピーダンス素子、第３のインピーダンス素子及び電圧比較部を含み、
前記第１のインピーダンス素子、前記第２のインピーダンス素子及び前記第３のインピーダンス素子は、前記少なくとも１つの電圧検知端部と前記少なくとも１つの電力経路との間に直列に配置され、
前記電圧比較部の２つの入力端部はそれぞれ、前記第１のインピーダンス素子と前記第２のインピーダンス素子との間にある接点と、前記第２のインピーダンス素子と前記第３のインピーダンス素子との間にある接点とに電気的に接続する、請求項２に記載の電力監視装置。
【請求項５】
前記電流検知部は、電流検知インピーダンス素子及び電流比較部を含み、前記電流検知インピーダンス素子は、前記少なくとも１つの電力経路に配置され、前記電流比較部の２つの入力端部はそれぞれ、前記電流検知インピーダンス素子の両端部に電気的に接続し、前記電流比較部の出力端部は前記処理モジュールに電気的に接続する、請求項２に記載の電力監視装置。
【請求項６】
前記回路基板は、ＤＣ電源入力端、第１の信号端、第２の信号端及び接地端子をさらに含み、前記ＤＣ電源入力端、前記第１の信号端、前記第２の信号端及び前記接地端子はそれぞれ前記序列制御モジュールに電気的に接続する、請求項３に記載の電力監視装置。
【請求項７】
前記電力監視装置には、前記ＤＣ電源入力端と前記処理モジュールとの間に配置された電圧調整器がさらに含まれる、請求項２に記載の電力監視装置。
【考案の詳細な説明】
【技術分野】
【０００１】
本考案は、電源システム及び電力監視装置に関し、特に通信機能付きの電源システムおよび電力監視装置に関する。
【背景技術】
【０００２】
既存の太陽光発電所の設備は、通信装置が備えていないため、発電の設備に対して即座的のモニターを行うことができないが、さらに通信装置を追加すれば、大量のコストを投入しなければならない。
【０００３】
そのため、コストの低い電力監視装置を提供することは、業界にとって重要な課題となっている。
【考案の概要】
【考案が解決しようとする課題】
【０００４】
本考案が解決しようとする技術的課題では、既存の技術の不足に対し電源システムを提供することである。
【課題を解決するための手段】
【０００５】
本考案が提供する電源システムでは、複数のソーラーパネル発電装置グループ、電力監視装置グループ、及び電力変換装置を備える。複数のソーラーパネル発電装置グループのそれぞれには、複数のソーラーパネル発電装置が含まれる。電力監視装置グループは、複数の電力監視装置を含む。前記複数の電力監視装置のそれぞれに対応的に１つの前記ソーラーパネル発電装置グループが電気的に接続されている。なかでも、前記電力監視装置はそれぞれ、処理モジュール、序列制御モジュール、及び電力検出モジュールを含む。前記序列制御モジュールは、前記処理モジュールに電気的に接続する。なかでも、前記複数の電力監視装置における前記序列制御モジュールは互いに通信的に接続される。前記電力検出モジュールは、前記処理モジュールに電気的に接続し、それと接続されたソーラーパネル発電装置による少なくとも１つの電力パラメータを検知するために用いられる。前記電力変換装置は前記複数の電力監視装置とそれぞれ接続され、対応した前記ソーラーパネル発電装置グループのそれぞれから伝送された電力を転換するために用いられる。なかでも、前記複数の電力監視装置のそれぞれにおける前記電力検出モジュールが検知した前記少なくとも１つの電力パラメータは前記処理モジュールに提供され、前記処理モジュールは、前記序列制御モジュールを介して、前記少なくとも１つの電力パラメータを制御システムに伝送する。
【０００６】
また、本考案は、ソーラーパネル発電装置グループ及び電力変換装置に電気的に接続する電力監視装置を提供する。前記ソーラーパネル発電装置グループは、少なくとも１つのソーラーパネル発電装置を含む。前記電力監視装置は、処理モジュールと、 前記処理モジュールに電気的に接続する序列制御モジュールと、少なくとも１つの電流検知部を含む電流検知モジュールと、少なくとも１つの電圧検知部を含む電圧検知モジュールと、を備える。前記電流検知モジュールは、前記ソーラーパネル発電装置グループの前記少なくとも１つのソーラーパネル発電装置による少なくとも１つの電流基準値を検知するために、前記処理モジュール、前記ソーラーパネル発電装置グループ及び前記電力変換装置に電気的に接続する。前記電圧検知モジュールは、前記ソーラーパネル発電装置グループの前記少なくとも１つのソーラーパネル発電装置による少なくとも１つの電圧基準値を検知するために、前記処理モジュール及び前記ソーラーパネル発電装置グループに電気的に接続する。
【考案の効果】
【０００７】
本考案による有益な効果の１つとしては、本考案による提供した電源システム及び電力監視装置によれば、複数のソーラーパネル発電装置から提供された電力パラメータ（電圧基準値及び電流基準値）を効果的にモニターでき、さらにその電力パラメータのデータを通信伝送ことにより、モニターに必要なコストを効果的に下げることができる。
【図面の簡単な説明】
【０００８】
【図１】本考案の実施形態にかかる電源システムが電力網システムに接続したことを示すブロック図である。
【図２】本考案の実施形態にかかる電力監視装置を示すブロック図である。
【図３】本考案の実施形態にかかる電力監視装置の回路基板端子設定図である。
【考案を実施するための形態】
【０００９】
本考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１０】
下記より、具体的な実施例で本考案が開示する「電源システム及び電力監視装置」に係る実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
【００１１】
［第１の実施形態］
図１及び図２を参照する。図１は、本考案の実施形態にかかる電源システムが電力網システムに接続することを示すブロック図である。図２は、本考案の実施形態にかかる電力監視装置を示すブロック図である。
【００１２】
電源システム１は、電力網システム２に電気的に接続する。電力網システム２は、家庭用電力システムまたは高圧給電システムである。電源システム１は、複数のソーラーパネル発電装置グループ１０（ソーラーパネル発電装置グループ１０−１〜１０−Ｎ、なかでも、Ｎが正の整数である。）、電力監視装置グループ１１及び電力変換装置１２を備える。ソーラーパネル発電装置グループ１０−１〜１０−Ｎはそれぞれ、複数のソーラーパネル発電装置を含み、例えば、ソーラーパネル発電装置グループ１０−１は、第１〜４のソーラーパネル発電装置１０−１Ａ〜１０−１Ｄを含むが、各ソーラーパネル発電装置グループに含まれるソーラーパネル発電装置の数量は本発明で制限されない。
【００１３】
電力監視装置グループ１１は、第１の電力監視装置１１１、第２の電力監視装置１１２乃至第Ｎの電力監視装置１１Ｎを含む複数の電力監視装置を備える。なかでも、Ｎが自然数であり、かつ、Ｎ≧１となる。即ち、別の実施形態では、電力監視装置グループ１１に１つの電力監視装置のみしか含まれない場合もあり、本考案に制限されなく実際のニーズに応じて調整することができる。電力監視装置１１の電力監視装置は２つ以上を有した場合、電力監視装置１１の電力監視装置は互いに通信できるように接続されている。
【００１４】
本実施形態では、電力監視装置はそれぞれ４つのソーラーパネル発電装置（図示しない）に電気的に接続する。以下に、第１の電力監視装置１１１を例として、電力監視装置の構成や機能について説明する。別の電力監視装置の構成や機能は第１の電力監視装置１１１と同様であるため、ここでは説明を繰り返しない。
【００１５】
第１の電力監視装置１１１は、処理モジュール１１１１、序列制御モジュール１１１２、電圧検知モジュール１１１３、電流検知モジュール１１１４、第１の接続ポート１１１５、第２の接続ポート１１１６、保護素子１１１７、電圧調整器１１１８、及び回路基板１１１９を備える。
【００１６】
処理モジュール１１１１、序列制御モジュール１１１２、電圧検知モジュール１１１３、電流検知モジュール１１１４、第１の接続ポート１１１５、第２の接続ポート１１１６、及び保護素子１１１７は、回路基板１１１９に配置されている。
【００１７】
処理モジュール１１１１は、序列制御モジュール１１１２、電圧検知モジュール１１１３及び電流検知モジュール１１１４に電気的に接続する。序列制御モジュール１１１２は、保護素子１１１７を介して第１の接続ポート１１１５及び第２の接続ポート１１１６に電気的に接続する。序列制御モジュール１１１２は、ＲＳ４８５序列制御モジュールまたはＲＳ２３２序列制御モジュールである。保護素子１１１７は、過渡電圧サプレッサ（ＴＶＳ）である。
【００１８】
本実施形態では、第１の接続ポート１１１５及び第２の接続ポート１１１６はそれぞれ、接地端子ＧＮＤ、第１の信号端Ａ、第２の信号端Ｂ及びＤＣ電源入力端ＶＣＣを含む。電圧調整器１１１８は第１の接続ポートのＤＣ電源入力端ＶＣＣと、第２の接続ポートのＤＣ電源入力端ＶＣＣと、処理モジュール１１１１とに電気的に接続する。
【００１９】
電圧検知モジュール１１１３は例えば、第１の電圧検知部１１１３Ａ、第２の電圧検知部１１１３Ｂ、第３の電圧検知部１１１３Ｃ、及び第４の電圧検知部１１１３Ｄとなる４つの電圧検知部を含む。電圧検知部の数量について本考案では制限されなく、実際のニーズに応じて調整できる。
【００２０】
電流検知モジュール１１１４も、例えば、第１の電流検知部１１１４Ａ、第２の電流検知部１１１３Ｂ、第３の電流検知部１１１４Ｃ及び第４の電流検知部１１１４Ｄとなる４つの電流検知部を備えてもよい。電流検知部の数量は実際のニーズに応じて調整できる。
【００２１】
第１のソーラーパネル発電装置グループ１０−１を例として説明すれば、第１の電圧検知部１１１３Ａ及び第１の電流検知部１１１４Ａは、第１のソーラーパネル発電装置１０−１Ａに電気的に接続し、第１のソーラーパネル発電装置１０−１Ａによる電圧基準値及び電流基準値を検知するために用いられる。第２の電圧検知部１１１３Ｂ及び第２の電流検知部１１１４Ｂは、第２のソーラーパネル発電装置１０−１Ｂに電気的に接続し、第２のソーラーパネル発電装置１０−１Ｂによる電圧基準値及び電流基準値を検知するために用いられる。第３の電圧検知部１１１３Ｃ及び第３の電流検知部１１１４Ｃは、第３のソーラーパネル発電装置１０−１Ｃに電気的に接続し、第３のソーラーパネル発電装置１０−１Ｃによる電圧基準値及び電流基準値を検知するために用いられる。第４の電圧検知部１１１３Ｄ及び第４の電流検知部１１１４Ｄは、第４のソーラーパネル発電装置１０−１Ｄに電気的に接続し、第４のソーラーパネル発電装置１０−１Ｄによる電圧基準値及び電流基準値を検知するために用いられる。
【００２２】
回路基板１１１９は、第１の電流入力端部Ｉ−ＩＮ１、第２の電流入力端部Ｉ−ＩＮ２、第３の電流入力端部Ｉ−ＩＮ３、第４の電流入力端部Ｉ−ＩＮ４、第１の電流出力端部Ｉ−ＯＵＴ１、第２の電流出力端部Ｉ−ＯＵＴ２、第３の電流出力端部Ｉ−ＯＵＴ３、第４の電流出力端部Ｉ−ＯＵＴ４、第１の電力経路Ｐ１、第２の電力経路Ｐ２、第３の電力経路Ｐ３、第４の電力経路Ｐ４、第１の電圧検知端部ＶＤ１、第２の電圧検知端部ＶＤ２、第３の電圧検知端部ＶＤ３、及び第４の電圧検知端部ＶＤ４を含む。
【００２３】
第１の電流入力端部Ｉ−ＩＮ１及び第１の電圧検知端部ＶＤ１は、第１のソーラーパネル発電装置１０−１Ａに電気的に接続する。第２の電流入力端部Ｉ−ＩＮ２及び第２の電圧検知端部ＶＤ２は、第２のソーラーパネル発電装置１０−１Ｂに電気的に接続する。第３の電流入力端部Ｉ−ＩＮ３及び第３の電圧検知端部ＶＤ３は、第３のソーラーパネル発電装置１０−１Ｃに電気的に接続する。第４の電流入力端部Ｉ−ＩＮ４及び第４の電圧検知端部ＶＤ４は第４のソーラーパネル発電装置１０−１Ｄに電気的に接続する。
【００２４】
第１の電流出力端部Ｉ−ＯＵＴ１、第２の電流出力端部Ｉ−ＯＵＴ２、第３の電流出力端部Ｉ−ＯＵＴ３、及び第４の電流出力端部Ｉ−ＯＵＴ４は、電力変換装置１２に電気的に接続する。
【００２５】
第１の電力経路Ｐ１は、第１の電流入力端部Ｉ−ＩＮ１と第１の電流出力端部Ｉ−ＯＵＴ１との間に配置され、第１の電流入力端部Ｉ−ＩＮ１及び第１の電流出力端部Ｉ−ＯＵＴ１に電気的に接続する。第２の電力経路Ｐ２は、第２の電流入力端部Ｉ−ＩＮ２と第２の電流出力端部Ｉ−ＯＵＴ２との間に配置され、第２の電流入力端部Ｉ−ＩＮ２及び第２の電流出力端部Ｉ−ＯＵＴ２に電気的に接続する。第３の電力経路Ｐ３は、第３の電流入力端部Ｉ−ＩＮ３と第３の電流出力端部Ｉ−ＯＵＴ３との間に配置され、第３の電流入力端部Ｉ−ＩＮ３及び第３の電流出力端部Ｉ−ＯＵＴ３に電気的に接続する。第４の電力経路Ｐ４は、第４の電流入力端部Ｉ−ＩＮ４と第４の電流出力端部Ｉ−ＯＵＴ４との間に配置され、第４の電流入力端部Ｉ−ＩＮ４及び第４の電流出力端部Ｉ−ＯＵＴ４に電気的に接続する。
【００２６】
第１の電流検知部１１１４Ａは、第１の電流入力端部Ｉ−ＩＮ１と第１の電流出力端部Ｉ−ＯＵＴ１との間に配置され、第１の電流入力端部Ｉ−ＩＮ１及び第１の電流出力端部Ｉ−ＯＵＴ１に電気的に接続する。第２の電流検知部１１１４Ｂは、第２の電流入力端部Ｉ−ＩＮ２と第２の電流出力端部Ｉ−ＯＵＴ２との間に配置され、第２の電流入力端部Ｉ−ＩＮ２及び第２の電流出力端部Ｉ−ＯＵＴ２に電気的に接続する。第３の電流検知部１１１４Ｃは、第３の電流入力端部Ｉ−ＩＮ３と第３の電流出力端部Ｉ−ＯＵＴ３との間に配置され、第３の電流入力端部Ｉ−ＩＮ３及び第３の電流出力端部Ｉ−ＯＵＴ３に電気的に接続する。第４の電流検知部１１１４Ｄは、第４の電流入力端部Ｉ−ＩＮ４と第４の電流出力端部Ｉ−ＯＵＴ４との間に配置され、第４の電流入力端部Ｉ−ＩＮ４及び第４の電流出力端部Ｉ−ＯＵＴ４に電気的に接続する。
【００２７】
第１の電圧検知部１１１３Ａは、第１の電圧検知端部ＶＤ１及び第１の電力経路Ｐ１に電気的に接続する。第２の電圧検知部１１１３Ｂは、第２の電圧検知端部ＶＤ２及び第２の電力経路Ｐ２に電気的に接続する。第３の電圧検知部１１１３Ｃは、第３の電圧検知端部ＶＤ３及び第３の電力経路Ｐ３に電気的に接続する。第４の電圧検知部１１１３Ｄは、第４の電圧検知端部ＶＤ４及び第４の電力経路Ｐ４に電気的に接続する。
【００２８】
本実施形態では、第１の電圧検知部１１１３Ａは、第１のインピーダンス素子Ｒ１、第２のインピーダンス素子Ｒ２、第３のインピーダンス素子Ｒ３、及び第２の電圧比較部ＶＣＯＭ１を含む。第１の電圧検知部１１１３Ａにおける第１のインピーダンス素子Ｒ１、第２のインピーダンス素子Ｒ２、及び第３のインピーダンス素子Ｒ３は、第１の電圧検知端部ＶＤ１と第１の電力経路Ｐ１との間に直列に配置されている。第１の電圧基準値を生成するために、第１の電圧比較部ＶＣＯＭ１の２つの入力端部はそれぞれ、第１の電圧検知部１１１３Ａにおける第第１のインピーダンス素子Ｒ１と第２のインピーダンス素子Ｒ２との間にある接点と、第２のインピーダンス素子Ｒ２と第３のインピーダンス素子Ｒ３との間にある接点と電気的に接続する。
【００２９】
第２の電圧検知部１１１３Ｂも、第１のインピーダンス素子Ｒ１、第２のインピーダンス素子Ｒ２、第３のインピーダンス素子Ｒ３、及び第２の電圧比較部ＶＣＯＭ２を含む。第２の電圧検知部１１１３Ｂにおける第１のインピーダンス素子Ｒ１、第２のインピーダンス素子Ｒ２及び第３のインピーダンス素子Ｒ３は、第２の電圧検知端部ＶＤ２と第２の電力経路Ｐ２との間に直列に配置されている。第２の電圧基準値を生成するために、第２の電圧比較部ＶＣＯＭ２の２つの入力端部はそれぞれ、第２の電圧検知部１１１３Ｂにおける第１のインピーダンス素子Ｒ１と第２のインピーダンス素子Ｒ２との間にある接点と、第２のインピーダンス素子Ｒ２と第３のインピーダンス素子Ｒ３との間にある接点と電気的に接続する。
【００３０】
第３の電圧検知部１１１３Ｃも、第１のインピーダンス素子Ｒ１、第２のインピーダンス素子Ｒ２、第３のインピーダンス素子Ｒ３、及び第３の電圧比較部ＶＣＯＭ３を含む。第３の電圧検知部１１１３Ｃにおける第１のインピーダンス素子Ｒ１、第２のインピーダンス素子Ｒ２及び第３のインピーダンス素子Ｒ３は、第３の電圧比較部ＶＣＯＭ３と第３の電力経路Ｐ３との間に直列に配置されている。第３の電圧基準値を生成するために、第３の電圧比較部ＶＣＯＭ３の２つの入力端部はそれぞれ、第３の電圧検知部１１１３Ｃにおける第１のインピーダンス素子Ｒ１と第２のインピーダンス素子Ｒ２との間にある接点と、第２のインピーダンス素子Ｒ２と第３のインピーダンス素子Ｒ３との間にある接点と電気的に接続する。
【００３１】
第４の電圧検知部１１１３Ｄも、第１のインピーダンス素子Ｒ１、第２のインピーダンス素子Ｒ２、第３のインピーダンス素子Ｒ３、及び第４の電圧比較部ＶＣＯＭ４を含む。第４の電圧検知部１１１３Ｄにおける第１のインピーダンス素子Ｒ１、第２のインピーダンス素子Ｒ２及び第３のインピーダンス素子Ｒ３は、第４の電圧比較部ＶＣＯＭ４と第４の電力経路Ｐ４との間に直列に配置されている。第４の電圧基準値を生成するために、第４の電圧比較部ＶＣＯＭ４の２つの入力端部はそれぞれ、第４の電圧検知部１１１３Ｄにおける第１のインピーダンス素子Ｒ１と第２のインピーダンス素子Ｒ２との間にある接点と、第２のインピーダンス素子Ｒ２と第３のインピーダンス素子Ｒ３との間にある接点と電気的に接続する。
【００３２】
電圧比較部ＶＣＯＭ１−ＶＣＯＭ４は、処理モジュール１１１１に電気的に接続する。即ち、電圧比較部ＶＣＯＭ１−ＶＣＯＭ４の出力端部により、第１の電圧基準値乃至第４の電圧基準値は処理モジュール１１１１に伝送される。
【００３３】
本実施形態では、第１の電流検知部１１１４Ａは、第１の電流検知インピーダンス素子ＣＳ１及び第１の電流比較部ＩＣＯＭ１を備える。第１の電流検知インピーダンス素子ＣＳ１は、第１の電力経路Ｐ１に配置され、第１の電流比較部ＩＣＯＭ１の２つの入力端部はそれぞれ、第１の電流検知インピーダンス素子ＣＳ１の両端部に電気的に接続する。第１の電流比較部ＩＣＯＭ１の出力端部は処理モジュール１１１１に電気的に接続する。
【００３４】
第２の電流検知部１１１４Ｂは、第２の電流検知インピーダンス素子ＣＳ２及び第２の電流比較部ＩＣＯＭ２を含む。第２の電流検知インピーダンス素子ＣＳ２は、第２の電力経路Ｐ２に配置される。第２の電流比較部ＩＣＯＭ２の２つの入力端部はそれぞれ、第２の電流検知インピーダンス素子ＣＳ２の両端部に電気的に接続する。第２の電流比較部ＩＣＯＭ２の出力端部は処理モジュール１１１１に電気的に接続する。
【００３５】
第３の電流検知部１１１４Ｃは、第３の電流検知インピーダンス素子ＣＳ３及び第３の電流比較部ＩＣＯＭ３を含む。第３の電流検知インピーダンス素子ＣＳ３は第３の電力経路Ｐ３に配置される。第３の電流比較部ＩＣＯＭ３の２つの入力端部はそれぞれ、第３の電流検知インピーダンス素子ＣＳ３の両端部に電気的に接続する。第３の電流比較部ＩＣＯＭ３の出力端部は処理モジュール１１１１に電気的に接続する。
【００３６】
第４の電流検知部１１１４Ｄは、第４の電流検知インピーダンス素子ＣＳ４及び第４の電流比較部ＩＣＯＭ４を含む。第４の電流検知インピーダンス素子ＣＳ４は第４の電力経路Ｐ４に配置される、第４の電流比較部ＩＣＯＭ４の２つの入力端部はそれぞれ、第４の電流検知インピーダンス素子ＣＳ４の両端部に電気的に接続する。第４の電流比較部ＩＣＯＭ４の出力端部は処理モジュール１１１１に電気的に接続する。
【００３７】
さらに別の実施形態において、前記前記回路基板１１１９は、さらにＤＣ電源入力端ＶＣＣ、第１の信号端Ａ、第２の信号端Ｂ、及び接地端子ＧＮＤを含み、前記ＤＣ電源入力端ＶＣＣ、前記第１の信号端Ａ、前記第２の信号端Ｂ、及び前記接地端子ＧＮＤはそれぞれ、前記序列制御モジュールに電気的に接続する。
【００３８】
電圧調整器１１１８は、直流電圧の大きさを変更するために、第１の接続ポート１１１５及び第２の接続ポート１１１６のＤＣ電源入力端ＶＣＣと処理モジュール１１１１との間に配置される。本実施形態では、電圧調整器１１１８は低損失レギュレータ（Ｌｏｗ−ｄｒｏｐｏｕｔ  ｒｅｇｕｌａｔｏｒ，ＬＤＯ）である。電圧調整器１１１８は、直流電源を受け取るために、第１の接続ポート１１１５及び第２の接続ポート１１１６のＤＣ電源入力端ＶＣＣに電気的に接続する。
【００３９】
本実施形態では、電力変換装置１２は、１つまたは複数の電力変換モジュール（図示しない）を含んでもよい。複数の電力変換モジュール（図示しない）のそれぞれは電力監視装置１１１−１１Ｎのそれぞれに電気的に接続することにより、各ソーラーパネル発電装置グループ１０−１〜１０−Ｎに対応するソーラーパネル発電装置１０−１Ａ〜１０−１Ｄ、１０−ＮＡ〜１０−ＮＤのそれぞれから伝送された電力を対応的に転換することができる。本実施形態では、電力変換装置１２は、ソーラーパネル発電装置１０−１Ａ〜１０−１Ｄ、１０−ＮＡ〜１０−ＮＤからの直流電源を交流電源に転換するために用いられる。
【００４０】
また、ソーラーパネル発電装置グループ１０−１〜１０−Ｎのそれぞれに配置されるソーラーパネル発電装置の数量は実際のニーズに応じて調整できる。
【００４１】
処理モジュール１１１１は、序列制御モジュール１１１２を介して、電圧検知モジュール１１１３及び電流検知モジュール１１１４から提供された複数の電圧基準値及び複数の電流基準値を制御システム９に伝送するように用いられる。制御システム９はローカルサーバーまたはリモートサーバーである。
【００４２】
処理モジュール１１１１及び序列制御モジュール１１１２は汎用非同期送受信器（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ，ＵＡＲＴ）によりデータの伝送を行っている。
【００４３】
−実施形態による有益な効果 −
本考案による有益な効果の１つとしては、本考案による提供した電源システム及び電力監視装置によれば、複数のソーラーパネル発電装置から提供された電力パラメータ（電圧基準値及び電流基準値）を効果的にモニターでき、さらにその電力パラメータのデータを通信伝送ことにより、モニターに必要なコストを効果的に下げることができる。
【００４４】
以上に開示される内容は本考案の好ましい実施可能な実施例に過ぎず、これにより本考案の実用新案登録請求の範囲を制限するものではないので、本考案の明細書及び添付図面の内容に基づき為された等価の技術変形は、全て本考案の実用新案登録請求の範囲に含まれるものとする。
【符号の説明】
【００４５】
１電源システム
２：電力網システム
９：制御システム
１０−１〜１０−Ｎ：ソーラーパネル発電装置グループ
１０−１Ａ、１０−２Ａ、１０−ＮＡ：第１のソーラーパネル発電装置
１０−１Ｂ、１０−２Ｂ、１０−ＮＢ：第２のソーラーパネル発電装置
１０−１Ｃ、１０−２Ｃ、１０−ＮＣ：第３のソーラーパネル発電装置
１０−１Ｄ、１０−２Ｄ、１０−ＮＤ：第４のソーラーパネル発電装置
１１：電力監視装置グループ
１２：電力変換装置
１１１：第１の電力監視装置
１１２：第２の電力監視装置
１１Ｎ：第Ｎの電力監視装置
Ｉ−ＩＮ１：第１の電流入力端部
Ｉ−ＩＮ２：第２の電流入力端部
Ｉ−ＩＮ３：第３の電流入力端部
Ｉ−ＩＮ４：第４の電流入力端部
Ｉ−ＯＵＴ１：第１の電流出力端部
Ｉ−ＯＵＴ２：第２の電流出力端部
Ｉ−ＯＵＴ３：第３の電流出力端部
Ｉ−ＯＵＴ４：第４の電流出力端部
ＶＤ１：第１の電圧検知端部
ＶＤ２：第２の電圧検知端部
ＶＤ３：第３の電圧検知端部
ＶＤ４：第４の電圧検知端部
Ｒ１：第１のインピーダンス素子
Ｒ２：第２のインピーダンス素子
Ｒ３：第３のインピーダンス素子
ＣＳ１：第１の電流検知インピーダンス素子
ＣＳ２：第２の電流検知インピーダンス素子
ＣＳ３：第３の電流検知インピーダンス素子
ＣＳ４：第４の電流検知インピーダンス素子
ＶＣＯＭ１：第１の電圧比較部
ＶＣＯＭ２：第２の電圧比較部
ＶＣＯＭ３：第３の電圧比較部
ＶＣＯＭ４：第４の電圧比較部
ＩＣＯＭ１：第１の電流比較部
ＩＣＯＭ２：第２の電流比較部
ＩＣＯＭ３：第３の電流比較部
ＩＣＯＭ４：第４の電流比較部
１１１１：処理モジュール
１１１２：序列制御モジュール
１１１３：電圧検知モジュール  
１１１４：電流検知モジュール
１１１５：第１の接続ポート
１１１６：第２の接続ポート
１１１７：電圧調整器
１１１８：保護素子
１１１３Ａ：第１の電圧検知部
１１１３Ｂ：第２の電圧検知部
１１１３Ｃ：第３の電圧検知部
１１１３Ｄ：第４の電圧検知部
１１１４Ａ：第１の電流検知部
１１１４Ｂ：第２の電流検知部
１１１４Ｃ：第３の電流検知部
１１１４Ｄ：第４の電流検知部
Ｐ１：第１の電力経路
Ｐ２：第２の電力経路
Ｐ３：第３の電力経路
Ｐ４：第４の電力経路
１１１９：回路基板
ＧＮＤ：接地端子
Ａ：第１の信号端
Ｂ：第２の信号端
ＶＣＣ：ＤＣ電源入力端
【図１】
0003225941.tif 000003
【図２】
0003225941.tif 000004
【図３】
0003225941.tif 000005
【手続補正書】
【提出日】令和2年2月12日(2020.2.12)
【手続補正１】
【補正対象書類名】実用新案登録請求の範囲
【補正対象項目名】全文
【補正方法】変更
【補正の内容】
【実用新案登録請求の範囲】
【請求項１】
複数のソーラーパネル発電装置グループ、電力監視装置グループ、及び電力変換装置を備える、電源システムであって、
前記複数のソーラーパネル発電装置グループのそれぞれに、複数のソーラーパネル発電装置が含まれ、
前記電力監視装置グループは、複数の電力監視装置を含み、前記複数の電力監視装置のそれぞれは、対応的に１つの前記ソーラーパネル発電装置グループに電気的に接続し、
前記複数の電力監視装置のそれぞれは、
処理モジュールと、
前記処理モジュールに電気的に接続する序列制御モジュールと、
対応的に接続された前記ソーラーパネル発電装置グループにおける前記ソーラーパネル発電装置による少なくとも１つの電力パラメータを検知するように、前記処理モジュールに電気的に接続する電力検出モジュールと、を含み、
前記複数の電力監視装置における前記序列制御モジュールは互いに通信的に接続され、
前記電力変換装置は、対応的に各前記ソーラーパネル発電装置グループから伝送された電力を転換するように、前記複数の電力監視装置のそれぞれに電気的に接続され、
各前記電力監視装置における前記電力検出モジュールが検知した前記少なくとも１つの電力パラメータは、前記処理モジュールに提供され、前記処理モジュールは、前記序列制御モジュールを介して、前記少なくとも１つの電力パラメータを制御システムに伝送する、ことを特徴とする、電源システム。
【請求項２】
ソーラーパネル発電装置グループ及び電力変換装置に電気的に接続する電力監視装置であって、
前記ソーラーパネル発電装置グループには、少なくとも１つのソーラーパネル発電装置が含まれて、
前記電力監視装置は、処理モジュールと、前記処理モジュールに電気的に接続する序列制御モジュールと、少なくとも１つの電流検知部を含む電流検知モジュールと、少なくとも１つの電圧検知部を含む電圧検知モジュールと、を備え、
前記電流検知モジュールは、前記ソーラーパネル発電装置グループの前記少なくとも１つのソーラーパネル発電装置による少なくとも１つの電流基準値を検知するために、前記処理モジュール、前記ソーラーパネル発電装置グループ及び前記電力変換装置に電気的に接続し、
前記電圧検知モジュールは、前記ソーラーパネル発電装置グループの前記少なくとも１つのソーラーパネル発電装置による少なくとも１つの電圧基準値を検知するために、前記処理モジュール及び前記ソーラーパネル発電装置グループに電気的に接続する、ことを特徴とする、電力監視装置。
【請求項３】
前記電力監視装置は回路基板をさらに備え、
前記回路基板は、少なくとも１つの電流入力端部、少なくとも１つの電流出力端部、少なくとも１つの電圧検知端部及び少なくとも１つの電力経路を有し、
前記少なくとも１つの電流入力端部は前記少なくとも１つの電力経路を介して前記少なくとも１つの電流出力端部に電気的に接続し、
前記少なくとも１つの電流検知部は、前記少なくとも１つの電流入力端部と前記少なくとも１つの電流出力端部との間に配置され、
前記少なくとも１つの電圧検知部は、前記少なくとも１つの電圧検知端部及び前記少なくとも１つの電力経路に電気的に接続する、請求項２に記載の電力監視装置。
【請求項４】
前記電圧検知部は、第１のインピーダンス素子、第２のインピーダンス素子、第３のインピーダンス素子及び電圧比較部を含み、
前記第１のインピーダンス素子、前記第２のインピーダンス素子及び前記第３のインピーダンス素子は、前記少なくとも１つの電圧検知端部と前記少なくとも１つの電力経路との間に直列に配置され、
前記電圧比較部の２つの入力端部はそれぞれ、前記第１のインピーダンス素子と前記第２のインピーダンス素子との間にある接点と、前記第２のインピーダンス素子と前記第３のインピーダンス素子との間にある接点とに電気的に接続する、請求項３に記載の電力監視装置。
【請求項５】
前記電流検知部は、電流検知インピーダンス素子及び電流比較部を含み、前記電流検知インピーダンス素子は、前記少なくとも１つの電力経路に配置され、前記電流比較部の２つの入力端部はそれぞれ、前記電流検知インピーダンス素子の両端部に電気的に接続し、前記電流比較部の出力端部は前記処理モジュールに電気的に接続する、請求項３に記載の電力監視装置。
【請求項６】
前記回路基板は、ＤＣ電源入力端、第１の信号端、第２の信号端及び接地端子をさらに含み、前記ＤＣ電源入力端、前記第１の信号端、前記第２の信号端及び前記接地端子はそれぞれ前記序列制御モジュールに電気的に接続する、請求項３に記載の電力監視装置。
【請求項７】
前記電力監視装置には、前記ＤＣ電源入力端と前記処理モジュールとの間に配置された電圧調整器がさらに含まれる、請求項６に記載の電力監視装置。